【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】  入力された周波数スペクトル情報を、２つ以上の周波数帯域に分割するスペクトル分割手段と、
上記分割された各周波数帯域の周波数スペクトル情報から、各周波数帯域毎にスペクトル概形を推定し、複数のパラメタを算出する複数のスペクトル推定手段と、
上記複数のパラメタに基づいて、各周波数帯域毎のスペクトル包絡を合成する複数のスペクトル包絡合成手段と、
上記複数の周波数帯域毎のスペクトル包絡を重畳して全帯域の合成スペクトル包絡を作成するスペクトル重畳手段と、
上記複数のパラメタの量子化を行う複数のスペクトル帯域量子化手段と、
上記入力された周波数スペクトル情報を、上記スペクトル重畳手段からの全帯域の合成スペクトル包絡で除算し、除算した値を量子化するスペクトル量子化手段とを備えたことを特徴とするオーディオ信号符号化装置。
【請求項２】  請求項１に記載のオーディオ信号符号化装置において、
上記スペクトル分割手段は、上記入力された周波数スペクトル情報から抽出した複数のスペクトル特徴パラメタに基づいて、分割する周波数スペクトル情報の周波数帯域幅を制御することを特徴とするオーディオ信号符号化装置。
【請求項３】  請求項１または２に記載のオーディオ信号符号化装置において、
上記スペクトル分割手段は、上記入力された周波数スペクトル情報から抽出した複数のスペクトル特徴パラメタに基づいて、分割する周波数スペクトル情報の周波数帯域の数を制御することを特徴とするオーディオ信号符号化装置。
【請求項４】  請求項１から３のいずれかに記載のオーディオ信号符号化装置において、
上記スペクトル分割手段と，上記スペクトル推定手段，上記スペクトル包絡合成手段，上記スペクトル重畳手段，上記スペクトル帯域量子化手段，及び上記スペクトル量子化手段からなる符号化手段を２段以上設け、
前段の符号化手段の量子化による量子化誤差を、後段の符号化手段が量子化を行う構成であることを特徴とするオーディオ信号符号化装置。
【請求項５】  請求項１から４のいずれかに記載のオーディオ信号符号化装置において、
上記スペクトル分割手段は、上記入力された周波数スペクトル情報から抽出したスペクトルのパワー情報に基づいて、周波数スペクトル情報の分割方法を決定するものであることを特徴とするオーディオ信号符号化装置。
【請求項６】  請求項１から４のいずれかに記載のオーディオ信号符号化装置において、
上記スペクトル分割手段は、上記入力された周波数スペクトル情報から抽出した聴覚的なエントロピーに基づいて、周波数スペクトル情報の分割方法を決定するものであることを特徴とするオーディオ信号符号化装置。
【請求項７】  請求項１から４のいずれかに記載のオーディオ信号符号化装置において、
上記スペクトル分割手段は、上記入力された周波数スペクトル情報から判定した音声非音声の判定結果に基づいて、周波数スペクトル情報の分割方法を決定するものであることを特徴とするオーディオ信号符号化装置。
【請求項８】  請求項１記載のオーディオ信号符号化装置からの出力である符号をその入力として、これを復号化して周波数スペクトル情報を生成するオーディオ信号復号化装置であって、
上記オーディオ信号符号化装置のスペクトル量子化手段が出力した符号を用いて逆量子化を行うスペクトル逆量子化手段と、
上記オーディオ信号符号化装置の複数のスペクトル帯域量子化手段が出力した複数のパラメタを量子化した符号を用いて逆量子化を行う複数のスペクトル帯域逆量子化手段と、
上記複数のスペクトル帯域逆量子化手段の出力である複数のパラメタを用いて各周波数帯域毎のスペクトル包絡を合成する複数のスペクトル包絡合成手段と、
上記複数の周波数帯域毎のスペクトル包絡を重畳して全帯域の合成スペクトル包絡を作成するスペクトル重畳手段と、
上記スペクトル逆量子化手段からの出力と、上記スペクトル重畳手段からの出力とを乗算して、オーディオ信号の周波数スペクトル情報の生成を行うスペクトル生成手段とを備えたことを特徴とするオーディオ信号復号化装置。
【請求項９】  請求項８に記載のオーディオ信号復号化装置において、
上記符号化装置における上記スペクトル分割手段は、上記入力された周波数スペクトル情報から抽出された複数のスペクトル特徴パラメタに基づいて、分割する周波数スペクトル情報の周波数帯域幅を制御するものである、
ことを特徴とするオーディオ信号復号化装置。
【請求項１０】  請求項８または９に記載のオーディオ信号復号化装置において、
上記符号化装置における上記スペクトル分割手段は、上記入力された周波数スペクトル情報から抽出した複数のスペクトル特徴パラメタに基づいて、分割する周波数スペクトル情報の周波数帯域の数を制御するものである、
ことを特徴とするオーディオ信号復号化装置。
【請求項１１】  請求項８から１０のいずれかに記載のオーディオ信号復号化装置において、
上記スペクトル帯域逆量子化手段と，上記スペクトル包絡合成手段，スペクトル重畳手段，スペクトル逆量子化手段，及びスペクトル生成手段，からなる復号化手段を2 段以上設け、
また、複数の周波数スペクトル情報を、１つのオーディオ信号の周波数スペクトル情報に合成するスペクトル合成器を備えたことを特徴とするオーディオ信号復号化装置。
【請求項１２】  請求項８から１１のいずれかに記載のオーディオ信号復号化装置において、
上記符号化装置における上記スペクトル分割手段は、上記入力された周波数スペクトル情報から抽出したスペクトルのパワー情報に基づいて、周波数スペクトル情報の分割方法を決定するものである、
ことを特徴とするオーディオ信号復号化装置。
【請求項１３】  請求項８から１２のいずれかに記載のオーディオ信号復号化装置において、
上記符号化装置における上記スペクトル分割手段は、上記入力された周波数スペクトル情報から抽出した聴覚的なエントロピーに基づいて、周波数スペクトル情報の分割方法を決定するものである、
ことを特徴とするオーディオ信号復号化装置。
【請求項１４】  請求項８から１３のいずれかに記載のオーディオ信号復号化装置において、
上記符号化装置における上記スペクトル分割手段は、上記入力された周波数スペクトル情報から判定した音声非音声の判定結果に基づいて、周波数スペクトル情報の分割方法を決定するものである、
ことを特徴とするオーディオ信号復号化装置。
【手続補正２】
【補正対象書類名】明細書
【補正対象項目名】００１１
【補正方法】変更
【補正の内容】
【００１１】
【課題を解決するための手段】
本発明の請求項１に記載の発明に係るオーディオ信号符号化装置は、入力された周波数スペクトル情報を、２つ以上の周波数帯域に分割するスペクトル分割手段と、上記分割された各周波数帯域の周波数スペクトル情報から、各周波数帯域毎にスペクトル概形を推定し、複数のパラメタを算出する複数のスペクトル推定手段と、上記複数のパラメタに基づいて、各周波数帯域毎のスペクトル包絡を合成する複数のスペクトル包絡合成手段と、上記複数の周波数帯域毎のスペクトル包絡を重畳して全帯域の合成スペクトル包絡を作成するスペクトル重畳手段と、上記複数のパラメタの量子化を行う複数のスペクトル帯域量子化手段と、上記入力された周波数スペクトル情報を、上記スペクトル重畳手段からの全帯域の合成スペクトル包絡で除算し、除算した値を量子化するスペクトル量子化手段とを備えたことを特徴とするものである。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
また、請求項８に記載の発明に係るオーディオ信号復号化装置は、請求項１記載のオーディオ信号符号化装置からの出力である符号をその入力として、これを復号化して周波数スペクトル情報を生成するオーディオ信号復号化装置であって、上記オーディオ信号符号化装置のスペクトル量子化手段が出力した符号を用いて逆量子化を行うスペクトル逆量子化手段と、上記オーディオ信号符号化装置の複数のスペクトル帯域量子化手段が出力した複数のパラメタを量子化した符号を用いて逆量子化を行う複数のスペクトル帯域逆量子化手段と、上記複数のスペクトル帯域逆量子化手段の出力である複数のパラメタを用いて各周波数帯域毎のスペクトル包絡を合成する複数のスペクトル包絡合成手段と、上記複数の周波数帯域毎のスペクトル包絡を重畳して全帯域の合成スペクトル包絡を作成するスペクトル重畳手段と、上記スペクトル逆量子化手段からの出力と、上記スペクトル重畳手段からの出力とを乗算して、オーディオ信号の周波数スペクトル情報の生成を行うスペクトル生成手段とを備えたことを特徴とするものである。
【手続補正５】
【補正対象書類名】明細書
【補正対象項目名】００２０
【補正方法】変更
【補正の内容】
【００２０】
また、請求項９に記載の発明に係るオーディオ信号復号化装置は、請求項８に記載のオーディオ信号復号化装置において、上記符号化装置における上記スペクトル分割手段は、上記入力された周波数スペクトル情報から抽出された複数のスペクトル特徴パラメタに基づいて、分割する周波数スペクトル情報の周波数帯域幅を制御するものである、ことを特徴とするものである。
【手続補正６】
【補正対象書類名】明細書
【補正対象項目名】００２１
【補正方法】変更
【補正の内容】
【００２１】
また、請求項１０に記載の発明に係るオーディオ信号復号化装置は、請求項８または９に記載のオーディオ信号復号化装置において、上記符号化装置における上記スペクトル分割手段は、上記入力された周波数スペクトル情報から抽出した複数のスペクトル特徴パラメタに基づいて、分割する周波数スペクトル情報の周波数帯域の数を制御するものである、ことを特徴とするものである。
【手続補正７】
【補正対象書類名】明細書
【補正対象項目名】００２２
【補正方法】変更
【補正の内容】
【００２２】
また、請求項１１に記載の発明に係るオーディオ信号復号化装置は、請求項８から１０のいずれかに記載のオーディオ信号復号化装置において、上記スペクトル帯域逆量子化手段と，上記スペクトル包絡合成手段，スペクトル重畳手段，スペクトル逆量子化手段，及びスペクトル生成手段，からなる復号化手段を2 段以上設け、また、複数の周波数スペクトル情報を、１つのオーディオ信号の周波数スペクトル情報に合成するスペクトル合成器を備えたことを特徴とするものである。
【手続補正８】
【補正対象書類名】明細書
【補正対象項目名】００２３
【補正方法】変更
【補正の内容】
【００２３】
また、請求項１２に記載の発明に係るオーディオ信号復号化装置は、請求項８から１１のいずれかに記載のオーディオ信号復号化装置において、上記符号化装置における上記スペクトル分割手段は、上記入力された周波数スペクトル情報から抽出したスペクトルのパワー情報に基づいて、周波数スペクトル情報の分割方法を決定するものである、ことを特徴とするものである。
【手続補正９】
【補正対象書類名】明細書
【補正対象項目名】００２４
【補正方法】変更
【補正の内容】
【００２４】
また、請求項１３に記載の発明に係るオーディオ信号復号化装置は、請求項８から１２のいずれかに記載のオーディオ信号復号化装置において、上記符号化装置における上記スペクトル分割手段は、上記入力された周波数スペクトル情報から抽出した聴覚的なエントロピーに基づいて、周波数スペクトル情報の分割方法を決定するものである、ことを特徴とするものである。
【手続補正１０】
【補正対象書類名】明細書
【補正対象項目名】００２５
【補正方法】変更
【補正の内容】
【００２５】
また、請求項１４に記載の発明に係るオーディオ信号復号化装置は、請求項８から１３のいずれかに記載のオーディオ信号復号化装置において、上記符号化装置における上記スペクトル分割手段は、上記入力された周波数スペクトル情報から判定した音声非音声の判定結果に基づいて、周波数スペクトル情報の分割方法を決定するものである、ことを特徴とするものである。
【手続補正１１】
【補正対象書類名】明細書
【補正対象項目名】００２６
【補正方法】削除
【補正の内容】
【手続補正１２】
【補正対象書類名】明細書
【補正対象項目名】０１７１
【補正方法】変更
【補正の内容】
【０１７１】
【発明の効果】
請求項１に記載のオーディオ信号符号化装置によれば、入力された周波数スペクトル情報を、２つ以上の周波数帯域に分割するスペクトル分割手段と、上記分割された各周波数帯域の周波数スペクトル情報から、各周波数帯域毎にスペクトル概形を推定し、複数のパラメタを算出する複数のスペクトル推定手段と、上記複数のパラメタに基づいて、各周波数帯域毎のスペクトル包絡を合成する複数のスペクトル包絡合成手段と、上記複数の周波数帯域毎のスペクトル包絡を重畳して全帯域の合成スペクトル包絡を作成するスペクトル重畳手段と、上記複数のパラメタの量子化を行うスペクトル帯域量子化手段と、上記入力された周波数スペクトル情報を、上記スペクトル重畳手段からの全帯域の合成スペクトル包絡で除算し、除算した値を量子化するスペクトル量子化手段とを備えたことを特徴とするものとしたので、分割した各周波数帯域のスペクトル包絡を、情報量としては非常に少ない線形予測係数を用いて算出することにより、計算量はこれまでとほとんど増やすことなく、全帯域に渡って細やかなスペクトル包絡を合成することができるという効果を有する。
【手続補正１３】
【補正対象書類名】明細書
【補正対象項目名】０１７８
【補正方法】削除
【補正の内容】
【手続補正１４】
【補正対象書類名】明細書
【補正対象項目名】０１７９
【補正方法】変更
【補正の内容】
【０１７９】
また、請求項８に記載のオーディオ信号復号化装置によれば、請求項１記載のオーディオ信号符号化装置からの出力である符号をその入力として、これを復号化して周波数スペクトル情報を生成するオーディオ信号復号化装置であって、上記オーディオ信号符号化装置のスペクトル量子化手段が出力した符号を用いて逆量子化を行うスペクトル逆量子化手段と、上記オーディオ信号符号化装置の複数のスペクトル帯域量子化手段が出力した複数のパラメタを量子化した符号を用いて逆量子化を行う複数のスペクトル帯域逆量子化手段と、上記複数のスペクトル帯域逆量子化手段の出力である複数のパラメタを用いて各周波数帯域毎のスペクトル包絡を合成する複数のスペクトル包絡合成手段と、上記複数の周波数帯域毎のスペクトル包絡を重畳して全帯域の合成スペクトル包絡を作成するスペクトル重畳手段と、上記スペクトル逆量子化手段からの出力と、上記スペクトル重畳手段からの出力とを乗算して、オーディオ信号の周波数スペクトル情報の生成を行うスペクトル生成手段とを備えたことを特徴とするものとしたので、各周波数帯域毎に抽出した細かな周波数情報を用いてオ−ディオ信号の復元を行うので、音声信号が情報量の少ない低ビットレ−トであっても、高音質なオーディオ信号を生成することができる。
【手続補正１５】
【補正対象書類名】明細書
【補正対象項目名】０１８０
【補正方法】変更
【補正の内容】
【０１８０】
また、請求項９に記載の発明に係るオーディオ信号復号化装置は、請求項８に記載のオーディオ信号復号化装置において、上記符号化装置における上記スペクトル分割手段は、上記入力された周波数スペクトル情報から抽出された複数のスペクトル特徴パラメタに基づいて、分割する周波数スペクトル情報の周波数帯域幅を制御するものである、ことを特徴とするものとしたので、周波数スペクトル情報の特徴に基づいて、低域成分と高域成分の量子化の精度を変化させた周波数スペクトルを用いてオーディオ信号の生成を行うので、高音質なオーディオ信号を生成することができるという効果を有する。
【手続補正１６】
【補正対象書類名】明細書
【補正対象項目名】０１８１
【補正方法】変更
【補正の内容】
【０１８１】
また、請求項１０に記載の発明に係るオーディオ信号復号化装置は、請求項８または９に記載のオーディオ信号復号化装置において、上記符号化装置における上記スペクトル分割手段は、上記入力された周波数スペクトル情報から抽出した複数のスペクトル特徴パラメタに基づいて、分割する周波数スペクトル情報の周波数帯域の数を制御するものである、ことを特徴とするものとしたので、周波数スペクトルが複数の帯域に分割され、合成された細やかなスペクトル包絡を用いて、オーディオ信号の復元を行うので、高音質なオーディオ信号を生成することができるという効果を有する。
【手続補正１７】
【補正対象書類名】明細書
【補正対象項目名】０１８２
【補正方法】変更
【補正の内容】
【０１８２】
また、請求項１１に記載の発明に係るオーディオ信号復号化装置は、請求項８から１０のいずれかに記載のオーディオ信号復号化装置において、上記スペクトル帯域逆量子化手段と，上記スペクトル包絡合成手段，スペクトル重畳手段，スペクトル逆量子化手段，及びスペクトル生成手段，からなる復号化手段を2 段以上設け、また、複数の周波数スペクトル情報を、１つのオーディオ信号の周波数スペクトル情報に合成するスペクトル合成器を備えたことを特徴とするものとしたので、量子化誤差を差し引いて復元された周波数スペクトル情報と、復元された量子化誤差を合成し、量子化誤差を加味したオ−ディオ信号の周波数スペクトル情報を復元することができ、高音質な音楽サ−ビスを提供することができるという効果を有する。
【手続補正１８】
【補正対象書類名】明細書
【補正対象項目名】０１８３
【補正方法】変更
【補正の内容】
【０１８３】
また、請求項１２に記載の発明に係るオーディオ信号復号化装置は、請求項８から１１のいずれかに記載のオーディオ信号復号化装置において、上記符号化装置における上記スペクトル分割手段は、上記入力された周波数スペクトル情報から抽出したスペクトルのパワー情報に基づいて、周波数スペクトル情報の分割方法を決定するものである、ことを特徴とするものとしたので、合成されるスペクトル包絡は細やかなものとなり、高音質なオーディオ信号を生成することができるという効果を有する。
【手続補正１９】
【補正対象書類名】明細書
【補正対象項目名】０１８４
【補正方法】変更
【補正の内容】
【０１８４】
また、請求項１３に記載の発明に係るオーディオ信号復号化装置は、請求項８から１２のいずれかに記載のオーディオ信号復号化装置において、上記符号化装置における上記スペクトル分割手段は、上記入力された周波数スペクトル情報から抽出した聴覚的なエントロピーに基づいて、周波数スペクトル情報の分割方法を決定するものである、ことを特徴とするものとしたので、合成されるスペクトル包絡は細やかなものとなり、高音質なオーディオ信号を生成することができるという効果を有する。
【手続補正２０】
【補正対象書類名】明細書
【補正対象項目名】０１８５
【補正方法】変更
【補正の内容】
【０１８５】
また、請求項１４に記載の発明に係るオーディオ信号復号化装置は、請求項８から１３のいずれかに記載のオーディオ信号復号化装置において、上記符号化装置における上記スペクトル分割手段は、上記入力された周波数スペクトル情報から判定した音声非音声の判定結果に基づいて、周波数スペクトル情報の分割方法を決定するものである、ことを特徴とするものとしたので、合成されるスペクトル包絡は細やかなものとなり、高音質なオーディオ信号を生成することができるという効果を有する。
【手続補正２１】
【補正対象書類名】明細書
【補正対象項目名】０１８６
【補正方法】削除
【補正の内容】